(57)【特許請求の範囲】
【請求項１】
容器本体に装着されるキャップ基体と、キャップ基体に開閉自在に装着される上蓋とからなる抜栓キャップにおいて、
キャップ基体に設けられる注出筒の内方に、容器本体内を封鎖する隔壁が連設され、    隔壁には、注出口となる開口予定部を形成する抜栓部が、切断溝により形成される破断可能な弱化部により画成され、
抜栓部の上面には、支柱を介してプルリングが連設され、
切断溝は、少なくとも隔壁の下方から刻設される下溝、あるいは上方から刻設される上溝を有し、上溝と下溝とによりほぼ一定の厚さを有する薄肉部が形成され、
薄肉部は、支柱周囲の所定範囲の隔壁において、上溝を最も深く、また下溝を最も浅くして、破断を開始する支柱背面部に最も近い弱化部の薄肉部を最も低い位置とし、そこを起点として上溝を浅く、また下溝を深くしていくことで、薄肉部を徐々に高くする傾斜が設けられていることを特徴とする抜栓キャップ。
【請求項２】
隔壁は、すり鉢状であることを特徴とする請求項１に記載の抜栓キャップ。
【請求項３】
隔壁は、支柱周囲の所定範囲が平坦部として形成されることを特徴とする請求項２に記載の抜栓キャップ。
【請求項４】
隔壁は、平面状であることを特徴とする請求項１に記載の抜栓キャップ。
【請求項５】
支柱周囲の所定範囲以外の弱化部は、薄肉部が高い位置にあることを特徴とする請求項１〜４のいずれかに記載の抜栓キャップ。
【発明の詳細な説明】
【技術分野】
【０００１】
本発明は、容器本体に装着して内容液を注出する注出口を形成する抜栓キャップに関し、とくに、容器内部を密閉する隔壁に開口予定部を画成する薄肉の弱化部を形成し、開口予定部に立設したプルリングを引き上げることによって弱化部を破断し、注出口を開設する抜栓キャップに関する。
【背景技術】
【０００２】
従来、内容液を収納した容器本体に装着されるキャップ基体と、キャップ基体に開閉自在に装着される上蓋とからなるキャップにおいて、キャップ基体に設けられた注出筒の内方に容器本体内を封鎖する隔壁を連設し、隔壁には、切断溝を刻設して注出口となる開口予定部を画成する薄肉の弱化部を形成し、容器を使用するときに、開口予定部に立設したプルリングを引っ張り上げ、隔壁に注出口を開設するようにしたキャップはよく知られている。
【０００３】
このようにプルリングを引っ張り上げて弱化部を破断する抜栓キャップは、使用時まで密封を保つためには、弱化部は簡単には破断しないだけの一定の肉厚が必要であるが、他方で、弱化部を破断する引っ張り力を小さくして抜栓を容易にすることが求められる。
特に、抜栓初期には、大きな力が必要となるため、プルリングの支柱近くの弱化部の溝を深くすることなどが提案されているが、その部分が弱くなって、簡単に破断してしまうなどの問題があった。そこで、比較的弱い力で抜栓するために、プルリングの支柱と注出筒の内壁との相互間に、相互に連結する薄肉片を設け、引きちぎりの力を薄肉片に集中させることによって、隔壁の弱化部の破断の開始に要する力を小さくした注出栓が提案されている（例えば、特許文献１参照）。
【先行技術文献】
【特許文献】
【０００４】
【特許文献１】特開２０１１−１１７７７号公報
【発明の概要】
【発明が解決しようとする課題】
【０００５】
しかしながら、上記特許文献１記載の注出栓では、大きな力を必要とする破断の開始時の抜栓について考慮がされているとしても、安定した密封状態を維持するためには、弱化部における薄肉部の肉厚として一定の厚さを必要とするため、その後の切り取り時まで大きな抜栓操作力が必要であり、さらなる改善が求められていた。
【０００６】
本発明は、上記問題を解決することを課題とし、大きな力を必要とする抜栓の開始時のみならず、抜栓途中の破断に要する力を小さくして開封操作を容易にするとともに、開封時までは容器内を確実に密閉することができる弱化部を具える抜栓キャップを提供することを目的とする。
【課題を解決するための手段】
【０００７】
本発明は、上記の課題を解決するため、抜栓キャップとして、容器本体に装着されるキャップ基体と、キャップ基体に開閉自在に装着される上蓋とからなる抜栓キャップにおいて、キャップ基体に設けられる注出筒の内方に、容器本体内を封鎖する隔壁が連設され、隔壁には、注出口となる開口予定部を形成する抜栓部が、切断溝により形成される破断可能な弱化部により画成され、抜栓部の上面には、支柱を介してプルリングが連設され、切断溝は、少なくとも隔壁の下方から刻設される下溝、あるいは上方から刻設される上溝を有し、上溝と下溝とによりほぼ一定の厚さを有する薄肉部が形成され、薄肉部は、支柱周囲の所定範囲の隔壁において、上溝を最も深く、また下溝を最も浅くして、破断を開始する支柱背面部に最も近い弱化部の薄肉部を最も低い位置とし、そこを起点として上溝を浅く、また下溝を深くしていくことで、薄肉部を徐々に高くする傾斜が設けられていることを特徴とする構成を採用する。
【０００８】
抜栓キャップの具体的実施形態として、隔壁がすり鉢状であることを特徴とする構成、すり鉢状の隔壁において、支柱周囲の所定範囲が平坦部として形成されることを特徴とする構成、隔壁が平面状であることを特徴とする構成、および、支柱周囲の所定範囲以外の弱化部は、薄肉部が高い位置にあることを特徴とする構成を採用する。
【発明の効果】
【０００９】
本発明の抜栓キャップは、注出口となる開口予定部を形成する抜栓部を画成する弱化部は、隔壁の上方から刻設された上溝と下方から刻設された下溝とからなる切断溝により一定の厚さの薄肉部が形成されており、支柱周囲の所定範囲の弱化部において、破断を開始する支柱背面部に最も近い弱化部の薄肉部を最も低くし、そこを起点として薄肉部を徐々に高くする傾斜が設けられているため、支柱と支柱周囲の薄肉部との角度を小さくすることができ、それによって、引っ張る力が集中されることになり、小さな力で支柱周囲の弱化部を破断することができる。また、支柱周囲の所定範囲だけでなく、本発明の隔壁の弱化部には、下溝だけでなく、上溝も設けられているので、従来の下溝のみによる弱化部に比べ、小さな力で弱化部を破断することができる。
【００１０】
さらに、プルリングに指を通しやすくするため、また、容器内の圧力を分散しやすくするために、隔壁をすり鉢状にすることが多く、そうした場合には、支柱と支柱周囲の薄肉部との角度が鈍角になってしまうため、支柱周囲の隔壁部分を平面とし、平面内の薄肉部に傾斜を設けることによって、支柱と支柱周囲の薄肉部との角度を鋭角にすることができ、より小さな力で支柱周囲の弱化部を破断することができる。
【図面の簡単な説明】
【００１１】
【図１】本発明の実施例１における抜栓キャップの閉蓋状態を示す図であり、（ａ）は断面側面図であり、（ｂ）はその要部拡大図である。
【図２】本発明の実施例１における抜栓キャップの開蓋状態を示す図であり、（ａ）は上面図であり、（ｂ）は要部の斜視図である。
【図３】本発明の実施例２における抜栓キャップの閉蓋状態を示す図であり、（ａ）は断面側面図であり、（ｂ）はその要部拡大図である。
【図４】本発明の実施例３における抜栓キャップの閉蓋状態を示す図であり、（ａ）は断面側面図であり、（ｂ）はその要部拡大図である。
【発明を実施するための形態】
【００１２】
次に、本発明の抜栓キャップについて、実施例を示した図面を参照して説明する。
【実施例１】
【００１３】
図１および２において、Ａはキャップ基体、ＢはヒンジＣを介してキャップ基体Ａに連設された上蓋、Ｄは容器本体である。
【００１４】
キャップ基体Ａは、容器本体Ｄの口部を包囲する外筒１と、外筒１の上部内周側に連設し、上蓋Ｂを係止する係止突条２を外周に有する係合リング３と、係合リング３の内周側に上部を連設する内筒４と、内筒４の内周側に立設された注出筒６と、注出筒６の内縁に連設された隔壁７とを具備している。
本実施例では、図１（ａ）および（ｂ）に示すように、隔壁７は、全体としてすり鉢状に形成されているが、ヒンジＣ側には、部分的に水平状の平坦部７ａが形成されている。
【００１５】
キャップ基体Ａは、外筒１の内周が容器本体Ｄの口部外周と係合するとともに、内筒４の外周が容器本体Ｄの口部内周と係合し、容器本体Ｄの口部を挟持するようにして容器に装着されている。
【００１６】
外筒１は、内周面に、容器本体Ｄの口部外周に係合する膨出環１０が形成され、下端部外周には、ヒンジＣの反対側に設けられた連結片１２と、間隔をおいて複数配設された破断可能な弱化片１３とを介して外周筒部１１が連設されており、外周筒部１１の上端所定位置にヒンジＣを介して上蓋Ｂが連設されている。
【００１７】
隔壁７には、容器本体Ｄ内の内容物を注出するための注出口を形成する抜栓部１７が、切断溝１８によって破断可能に薄肉に形成された弱化部１９を介して形成されている。
抜栓部１７のヒンジＣ側の上面には、支柱２１が立設され、支柱２１の上端にプルリング２２が連設されている。
【００１８】
図１（ｂ）に示すように、弱化部１９の切断溝１８は、隔壁７の上面に形成される上溝２５と、隔壁７の下面に形成される下溝２６とからなっており、上溝２５と下溝２６とにより薄肉部３０が形成されている。
【００１９】
上溝２５と下溝２６とにより隔壁７に形成される薄肉部３０は、使用される樹脂やその強度によっても変わるが、その厚さは０．１〜０．３ｍｍ程度であり、本実施例においては、その厚さがほぼ一定とされている。
抜栓時に、最初に破断を開始する支柱２１の背面側（ヒンジＣ側）に最も近い背面弱化部１９ａにおける上溝２５の深さを最大深さｄ１とし、そこを起点に支柱２１の両側面側の弱化部１９における上溝２５の深さを徐々に浅くしながら、支柱２１の正面側（ヒンジＣと反対側）に最も近い正面弱化部１９ｂにおける上溝２５の深さを最小深さｄ２とすることによって、上溝２５に傾斜が形成されている。
同様に、背面弱化部１９ａにおける下溝２６の深さを最も浅くし、そこを起点に支柱２１の両側面側の弱化部１９における下溝２６の深さを徐々に深くしていくことによって下溝２６に傾斜が形成されている。
【００２０】
このように、図１（ｂ）で示すように、隔壁７の平坦部７ａにおいて、薄肉部３０は、支柱２１の周囲を背面側から両側面側に向かって上り勾配の傾斜が形成されている。
【００２１】
図２（ｂ）で示すように、隔壁７の平坦部７ａにおいて、最初に破断を開始する背面弱化部１９ａの薄肉部３０は、最も低い位置に形成され、支柱２１の両側面側において、薄肉部３０は、徐々に高くなる上り勾配の傾斜が形成され、正面弱化部１９ｂの薄肉部３０は、最も高い位置に形成されている。
なお、本実施例では、支柱２１の周囲以外の弱化部１９についても、正面弱化部１９ｂと同様に、最も高い位置の薄肉部３０として、すなわち、上溝２５が最も浅く、下溝２６が最も深い状態の薄肉部３０として形成されているが、薄肉部の高さは高い位置だけである必要性はなく、中央位置、あるいは、低い位置のどの位置でもよく、適宜変えることができる。
【００２２】
上蓋Ｂは、頂壁４０と、頂壁４０外縁に垂設される側周壁４１と、頂壁４０の裏面に垂設され、閉蓋時に外周がキャップ基体Ａの注出筒６の内周と密嵌する密封筒４２が設けられている。
【００２３】
側周壁４１には、内周下部に、閉蓋時にキャップ基体Ａの係止突条２と係合して閉蓋状態を維持する環状係合部４４が設けられ、外周の所定位置にヒンジＣが連設されている。
側周壁４１のヒンジＣの反対側の外周には、下端部に、つまみ４５が突設されている。
【００２４】
次に、本実施例の使用態様と作用効果について説明する。
本発明の抜栓キャップは、内容液を容器本体Ｄ内に充填した後、閉蓋状態で上方から打栓され、容器本体Ｄに装着する。
【００２５】
打栓は、内筒４と外筒１との間に形成された環状溝部に容器本体Ｄの口部をあてがい、上蓋Ｂの密封筒４２がキャップ基体Ａの注出筒６に密封した状態で、上蓋Ｂの上方から押圧力が加えられ、容器本体Ｄの口部が内筒４と外筒１との間に嵌入して装着される。
なお、本実施例においては、キャップ基体Ａと容器本体Ｄとを打栓による装着としたが、キャップ基体Ａと容器本体Ｄとにねじ部を設け、螺合によって装着することができる。
【００２６】
上蓋Ｂを開蓋する際は、上蓋Ｂのつまみ４５を持ち上げると、側周壁４１の下部が外側に向けられ、その部分から環状係合部４４と係止突条２との係合が外されていき、簡単に開蓋することができる。
【００２７】
内容液を使用する際には、上蓋Ｂを開蓋した後、プルリング２２に指を掛けて上方に引っ張り上げ、弱化部１９を破断することにより、抜栓部１７を除去して、隔壁７に注出口を開設する。
【００２８】
本実施例では、プルリング２２に指を掛け易くするため、また、容器内の内圧を分散させるため、隔壁７は、全体としてすり鉢状に形成され、隔壁７の弱化部１９には、隔壁７の上方から刻設される上溝２５と下方から刻設される下溝２６とからなる切断溝１８が形成され、プルリング２２の支柱２１の周囲に形成される弱化部１９を有する隔壁７は、部分的に平坦部７ａとなっているために、支柱２１と平坦部７ａとがなす角度を支柱２１と隔壁７とがなす角度θ２よりも小さくすることができる。
さらに、隔壁７の平坦部７ａには、上溝２５と下溝２６により形成される薄肉部３０が傾斜して形成され、背面弱化部１９ａの薄肉部３０は最も低い位置にあり、背面弱化部１９ａから徐々に薄肉部３０の位置を高くすることによって、支柱２１と支柱２１周囲の薄肉部３０とがなす角度θ１を小さく（鋭角に）することができ、それによって、引っ張る力が集中され、弱化部１９を小さな力で破断することができる。
また、支柱２１周囲の薄肉部３０は、隔壁７の厚さを厚くすることによって、傾斜が得られやすくなるとともに、傾斜の範囲をなるべく短くすることによって、支柱２１と支柱２１周囲の薄肉部３０とがなす角度θ１をより小さく（鋭角に）することができる。
なお、本実施例では、破断する力の軽減のため、隔壁全体の切断溝として上溝および下溝が設けられているが、薄肉部３０の最も低い位置とするために、下溝をなくし、上溝のみとすること、また、薄肉部３０の最も高い位置においては、上溝をなくし、下溝のみとすることも可能である。そうすることによって、薄肉部３０の傾斜角度をより大きくすることができる。
【００２９】
また、本実施例では、支柱２１の周囲の隔壁７は、平坦部７ａとなっており、平坦部７ａの薄肉部３０に傾斜が設けられているため、最初に弱い力で破断ができ、それによって、すり鉢状の隔壁７よりも高い位置で容器内に空気が入ることになり、容器内の液面の揺れによる飛びはねを防ぐことができる。特に高温の内容液が収容された場合、容器内が減圧されており、液面の揺れが激しくなるのでより効果がある。
【００３０】
図２の（ａ）に示すように、本発明の実施例では、破断予定の弱化部１９により画成される抜栓部１７は、幅広の十字状であり、そうすることにより、容器のかたむけ具合によって、注出量を容易に変えることができる。また、抜栓部が十字状なので、注出方向を変えて使用することができる。
その場合、一般的に引っ張る方向に近い縦方向ないしはそれに近い弱化部１９は破断しやすく、横方向に広がる弱化部１９については破断しにくくなるが、本実施例のように、弱化部１９の切断溝１８が下溝２６を深く、上溝２５が浅い、薄肉部３０が高い位置に設けられているので、横方向に広がる弱化部１９であっても、小さな力で破断することができる。
また、本実施例の抜栓キャップは、容器を使用した後には容器本体Ｄから分離して廃棄することができる。
上蓋Ｂを開いて外方に引っ張ると、キャップ基体Ａの外筒１と外周筒部１１とを連結する弱化片１３が破断して、外周筒部１１のヒンジＣ側が外筒１から引き離され、さらに上蓋Ｂを上方に引っ張ると、連結片１２に連結された部分からめくれあがるようにして外筒１を容器本体Ｄの口部から簡単に外すことができる。
【実施例２】
【００３１】
次に、隔壁７の構成を変更した第２実施例について説明する。
以下、第１実施例と同一の構成部分には同一の符号を付し、相違点を中心に説明する。
【００３２】
図３に示すように、本実施例では、支柱２１の周囲の所定範囲もすり鉢状の隔壁７であり、その所定範囲の弱化部１９において、破断を開始する背面弱化部１９ａの薄肉部３０を最も低い位置とし、そこを起点として薄肉部３０を上り勾配で徐々に高くしていくことによって、薄肉部３０に傾斜が設けられている。
また、支柱２１周囲の所定範囲外については、第１実施例と同様に、高い位置の薄肉部３０、すなわち、下溝２６が最も深く、上溝２５が最も浅い状態の薄肉部３０として形成されている。
【００３３】
それによる作用効果は、薄肉部３０に傾斜が設けられていない場合の角度θ４と比べ、支柱２１と支柱２１周囲の薄肉部３０とのなす角度θ３を小さくすることができ、引っ張る力が集中され、支柱２１周囲の弱化部１９を小さな力で破断することができる。また、支柱２１周囲の所定範囲外の弱化部１９についても、下溝２６が深く、上溝２５が浅い高い位置の薄肉部３０が維持されているので、小さな力で破断することができる。
【実施例３】
【００３４】
さらに、隔壁７の構成を変更した第３実施例について説明する。
以下、第１実施例と同一の構成部分には同一の符号を付し、相違点を中心に説明する。
【００３５】
図４に示すように、隔壁７は、全体が平面状であり、支柱２１周囲の所定範囲の弱化部１９において、破断を開始する背面弱化部１９ａの薄肉部３０を最も低い位置とし、そこを起点として薄肉部３０を上り勾配で徐々に高くしていくことによって、薄肉部３０に傾斜が設けられている。
また、支柱２１周囲の所定範囲外については、第１実施例と同様に、高い位置の薄肉部３０、すなわち、下溝２６が最も深く、上溝２５が最も浅い状態の薄肉部３０として形成されている。
【００３６】
それによる作用効果は、薄肉部３０に傾斜が設けられていない場合の角度θ６と比べ、支柱２１と支柱２１周囲の薄肉部３０とのなす角度θ５をより小さく（鋭角に）することができ、引っ張る力が集中され、支柱２１周囲の弱化部１９を小さな力で破断することができる。また、支柱２１周囲の所定範囲外の弱化部１９についても、下溝２６が深く、上溝２５が浅い高い位置の薄肉部３０が維持されているので、小さな力で破断することができる。
【００３７】
上記第１〜３実施例では、キャップ基体Ａと上蓋ＢとをヒンジＣを介して連設したヒンジキャップとしているが、キャップ基体Ａに上蓋Ｂを開閉自在に装着できればヒンジはなくてもよく、上蓋とキャップ基体にそれぞれ螺合するねじ部を設けたねじ嵌合によるものなど、上蓋とキャップ基体の装着方法の構成は、上記実施例の形態に限定されない。
【産業上の利用可能性】
【００３８】
本発明の抜栓キャップは、安定した密封状態を維持することができるとともに、大きな力を必要とする抜栓の開始時のみならず、抜栓途中の力を小さくして開封操作を容易にしたので、子供やお年寄りなど力の弱い消費者も安心して使用できる注出容器のキャップとして、広く利用可能である。
【符号の説明】
【００３９】
Ａ          キャップ基体
Ｂ          上蓋
Ｃ          ヒンジ
Ｄ          容器本体
ｄ１        最大深さ
ｄ２        最小深さ
１          外筒
２          係止突条
３          係合リング
４          内筒
６          注出筒
７          隔壁
７ａ        平坦部
１０          膨出環
１１          外周筒部
１２          連結片
１３          弱化片
１７          抜栓部
１８          切断溝
１９          弱化部
１９ａ        背面弱化部
１９ｂ        正面弱化部
２１          支柱
２２          プルリング
２５          上溝
２６          下溝
３０          薄肉部
４０          頂壁
４１          側周壁
４２          密封筒
４４          環状係合部
４５          つまみ
【図１】
0006576191.tif 000002
【図２】
0006576191.tif 000003
【図３】
0006576191.tif 000004
【図４】
0006576191.tif 000005